(57)【要約】　　　（修正有）【課題】人体における体表露出部分のうち耳、顔面、腕部、手の甲及び下肢等の部位に装着するのに好適なファッション性あるつぼ押し具を提供する。【解決手段】軟質合成樹脂からなる装飾性ある基体１の下面略中心から上方に向けて凹部を形成し、該凹部に粒状鍼体の一部を埋設すると共に、鍼体の埋設部分と凹部の接面部を接着剤を介して固定し、鍼体を除く基体１の下面に再貼付可能な貼着剤を塗布してなる。【選択図】　　図１
0003099849.tif 000002
【実用新案登録請求の範囲】
【請求項１】
軟質合成樹脂からなる装飾性ある基体の下面略中心から上方に向けて凹部を形成し、該凹部に粒状鍼体の一部を埋設すると共に、鍼体の埋設部分と凹部の接面部を接着剤を介して固定し、鍼体を除く基体の下面に再貼付可能な貼着剤を塗布してなることを特徴とする、ファッション性あるつぼ押し具。
【請求項２】
前記装飾性ある基体が、人物、仮想人物、動物、仮想動物、草木、花、鳥類、昆虫、魚類、機械、器物、乗物、建造物、自然現象、地勢要素、天体、地図、国旗、家紋、紋章等を表示する図形、模様、記号、文字等であることを特徴とする、請求項１記載のファッション性あるつぼ押し具。
【請求項３】
前記鍼体が、少なくとも人体に効能を有する、金、銀、ステンレス、その他の金属、セラミック、岩石、珊瑚、真珠、植物の種子等の粒状体であることを特徴とする、請求項１ないし請求項２記載のファッション性あるつぼ押し具。
【考案の詳細な説明】
【考案の詳細な説明】
【技術分野】
【０００１】本考案は、ファッションを兼ねたつぼ押し具に係わり、詳しくは、人体における体表露出部分のうち耳、顔面、腕部、手の甲及び下肢等の部位に装着するのに好適なファッション性あるつぼ押し具に関する。
【背景技術】
【０００２】東洋医学では、人体の体表には、多くのつぼ（経穴、経路）と言われる刺激点が約１０００ヶ所あり、そのつぼを適宜刺激することによって、肩こり、頭痛、血行不良その他の症状が緩和されることが知られている。そのため従来より、そのつぼに針を打って治療したり、置針を刺したりしている。また磁性体を肌色に似せた薄茶色の接着材を介してつぼ又はつぼの近傍部位に貼着するものもある。図１１に示すものは、従来の施療具の一例でいわゆる、置針型の円皮鍼Ｓと称されるもので、鍼体ａと下面に接着剤ｂを塗布した接着テープｃ及び下面に剥離テープｄ付きの装着テープｅよりなるが体表面に出る、接着テープｃが肌色に似せた薄茶色又は透明であるが、衣類等により隠蔽される部分の使用には問題ないが、体表の露出部分のうちとくに、耳、顔面、腕部、手の甲及び下肢等の部位に装着した場合、特に外出時にあつては、目立ち易くかつ、見映えが悪くかつ、針の先端が鋭く尖っているため、これをつぼに刺入した時、痛みを伴うという難点があり、そのために若い女性による使用は敬遠されがちである。【０００３】また、図１２に示すものは、鍼体（イ）の上面に両面接着テープ（ロ）を貼着し、また両面接着テープ（ロ）の上面に装飾体（ハ）を貼付してなるが、鍼体（イ）が下方に突出しているために、人体や器物と少しの接触で、鍼体（イ）が両面接着テープ（ロ）から簡単に脱落するという問題点がある。
【考案が解決しようとする課題】
【０００４】図９及び図１０は、人体における体表の露出部分のうち主なつぼの部位と名称を示し、本考案においては、とくに耳、顔面、腕部、手の甲及び下肢等のつぼを押圧するのに好適で、従来の円皮鍼Ｓ等の欠点を除去し、着用者にイヤリング、ピアス、アクセサリー等と同様な装着感覚を与え、ファッション性あるつぼ押し具を提供することを本考案の目的としている。
【課題を解決するための手段】
【０００５】請求項１に係る、ファッション性あるつぼ押し具にあっては、軟質合成樹脂からなる装飾性ある基体の下面略中心から上方に向けて凹部を形成し、該凹部に粒状鍼体の一部を埋設すると共に、鍼体の埋設部分と凹部の接面部を接着剤を介して固定し、鍼体を除く基体の下面に再貼付可能な貼着剤を塗布してなることを特徴とするものである。
【０００６】請求項２は、請求項１記載のファッション性あるつぼ押し具にあって、前記装飾性ある基体が、人物、仮想人物、動物、仮想動物、草木、花、鳥類、昆虫、魚類、機械、器物、乗物、建造物、自然現象、地勢要素、天体、地図、国旗、家紋、紋章等を表示する図形、模様、記号、文字等であることを特徴とするものである。
【０００７】請求項３は、請求項１ないし請求項２記載のファッション性あるつぼ押し具にあって、前記鍼体が、少なくとも人体に効能を有する、金、銀、ステンレス、その他の金属、セラミック、岩石、珊瑚、真珠、植物の種子等の粒状体であることを特徴とするものである。
【考案を実施するための最良の形態】
【０００８】以下、本考案に係る、ファッション性あるつぼ押し具（以下、つぼ押しＰという）の好適な実施形態について、図面を参照しながら説明する。図１は、本考案の第一実施形態を示す正面図、図２は、図１の２−２拡大断面図、図３及び図４は、その制作過程の説明図である。図５は、本考案の第二実施形態を示す平面図、図６は、図５の６−６拡大断面図、図７は、本考案の第三実施形態を示す平面図、図８は、図７の６−６拡大断面図、図９は、人体における露出部位の主なつぼを示す正面図、図１０は、同背面図で、図１１（ａ）は、従来例を示す正面図、図１１（ｂ）は、同平面図、図１２（ａ）は、他の従来例を示す正面図、図１２（ｂ）は、同平面図である。【０００９】本考案に係る、つぼ押しＰは、図１及び図２に示すように、女性の頸部の下方にあるつぼ、天突Ｔに使用した状態で、着色、描画又は印刷された蝶の形状をした基体１は、軟質合成樹脂例えば、塩化ビニール、ポリエチレン等を素材とし、公知の成型方法又は装置によって製作されるもので、その厚さは約２ｍｍ〜３ｍｍで、基体１の全体の大きさは、少なくとも基体１の略中心部に埋設される鍼体３の上面３ａを被覆する大きさとしている。鍼体３は、表面を金メッキした球状の粒体で、Ｆは皮膚表面である。【００１０】次に、つぼ押しＰの制作工程を図３及び図４により説明する。基体１は定盤Ｊに載置され、その上方に設置された、ニクロム線Ｎ等により約６０℃〜８０℃に加熱した、下端が円形状の加熱体Ｈを下方に降下させ、基体１の略中心部を軽く押し当てて凹部１ａを形成する。この凹部１ａに接着剤４を滴下した後、ピンセット等で鍼体３を摘み、基体１の凹部１ａに鍼体３の約半分を埋設し固定する。続いて、人体の皮膚に対し、比較的に刺激性の低い貼付材５例えば、アクリル系接着剤を鍼体３を除く、基体１の全面に被覆した後、鍼体３及び接着剤４の上面を離型紙６で被覆してつぼ押しＰの制作は完了する。【００１１】図５及び図６は、本考案に係る、つぼ押しＰの第二実施形態を示し、基体１を着色、描画又は印刷された花状とし、鍼体３を王不留行、韮等の楕円状の植物種子を基体１の凹部１ａに埋設したものである。【００１２】図７及び図８は、本考案に係る、つぼ押しＰの第三の実施形態を示し、基体１を着色、描画又は印刷された果物状とし、鍼体３を楕円状の生薬を植物種子を縦状にして凹部１ａに埋設したものである。【００１３】つぼ押しＰは、図２、図６及び図８に示す離型紙６を、鍼体３及び貼付材５から剥離し、鍼体３を天突Ｔ等のつぼに押し当てながら皮膚表面Ｆに貼付材５を貼着して使用する。【００１４】本考案に係る、つぼ押しＰの基体１は、上記のように、人体の露出部分に装着してもなんらの違和感もない装飾性がある、着色、描画又は印刷された人物、仮想人物、動物、仮想動物、草木、花、鳥類、昆虫、魚類、機械、器物、乗物、建造物、自然現象、地勢要素、天体、地図、国旗、家紋、紋章等を表示する図形、模様、記号、文字等である。【００１５】つぼ押しＰの鍼体３は、少なくとも人体に効能を有する、金、銀、ステンレス、その他の金属、セラミック、岩石、珊瑚、真珠、植物の種子等の粒状体としている。【００１６】　なお、本考案の実施態様についての明細書及び図面に示す基体１及び鍼体３の形状、大きさ、数量等は、実施例にのみ限定されるものではない。
【考案の効果】
【００１７】本考案に係るファッション性あるつぼ押し具は、上記構成になるから以下の効果を奏する。即ち、基体１は、着色、描画又は印刷された各種図形、模様、記号、文字等からなるので、人体のつぼがある露出部分につぼ押しＰを貼付してもなんら違和感がないのみならず、アクセサリーの一種として注目され、ファッション性が高められ、つぼ押しＰ本来の目的である治癒と鎮痛の目的が達成できる。また、鍼体３は、基体１に人体に効能ある各種の粒状体を埋設し、その接面を接着剤４で固定しているので、鍼体３が基体１から簡単に離脱することがなくかつ、人体と鍼体３の接面部は、鍼体３の先端部を曲面状としているので、つぼ押しＰを装着するときに痛みが発生することもない。
【図面の簡単な説明】
【００１６】
【図１】本考案の第一実施形態を示す、正面図である。
【図２】図１の２−２拡大断面図っである。
【図３】本考案の第一実施形態における制作過程の説明図である。
【図４】同制作過程の説明図である。
【図５】本考案の第二実施形態を示す平面図である。
【図６】図５の６−６拡大断面図である。
【図７】本考案の第三実施形態を示す平面図である。
【図８】図７の８−８拡大断面図である。
【図９】人体における露出部位の主なつぼの部位と名称を示す正面図である。
【図１０】同背面図である。
【図１１】（ａ）従来例を示す正面図である。
【図１１】（ｂ）同平面図である。
【図１２】他の従来例を示す正面図である。
【符号の説明】
Ｐ　　　　　　　つぼ押し具
１　　　　　　　基体
１ａ　　　　　　凹部
３　　　　　　　鍼体
４　　　　　　　接着剤
５　　　　　　　貼付剤
６　　　　　　　離型紙
Ｔ　　　　　　　天突
Ｆ　　　　　　　皮膚表面
Ｊ　　　　　　　定盤
Ｈ　　　　　　　加熱体
Ｎ　　　　　　　ニクロム線
【図１】
0003099849.tif 000003
【図２】
0003099849.tif 000004
【図３】
0003099849.tif 000005
【図４】
0003099849.tif 000006
【図５】
0003099849.tif 000007
【図６】
0003099849.tif 000008
【図７】
0003099849.tif 000009
【図８】
0003099849.tif 000010
【図９】
0003099849.tif 000011
【図１０】
0003099849.tif 000012
【図１１】
0003099849.tif 000013
【図１２】
0003099849.tif 000014